(57)【要約】【課題】チャンネルの選択に関する利便性を向上する。【解決手段】各リモコンのＭＰＵ２２は、キーが押下された場合に、各リモコンを識別可能な識別情報であるリモコン識別情報を、操作信号としてデジタル放送受信機に対して送信する操作信号送信部２２３を備え、デジタル放送受信機のＭＰＵ１１は、複数のリモコンからの操作信号が受け付けられたか否かを判定するキー判定部１１１と、操作信号が受け付けられたと判定された場合に、受け付けられた操作信号に含まれるリモコン識別情報に対応するチャンネル設定情報を、チャンネル情報記憶部１２２から読み出し、読み出されたチャンネル設定情報に基づいて、選局可能なチャンネルを設定するチャンネル設定部１１２と、を備えている。【選択図】図５
2008141460.tif 000002
【特許請求の範囲】
【請求項１】
テレビジョン放送を受信し、外部から視認可能にモニタに出力可能に構成された放送受信装置と、複数のキーが配設されると共に、前記放送受信装置と通信可能に接続された複数のリモートコントローラと、を備える放送受信システムであって、
前記複数のリモートコントローラは、それぞれ、
前記複数のキーの内、いずれか１のキーが押下された場合に、各リモートコントローラを識別可能な識別情報であるリモコン識別情報を、操作信号として前記放送受信装置に対して送信する送信手段と、
選局可能なチャンネルを予め設定された所定の順序で選局する場合に押下される選局キーと、
を備え、
前記複数のリモートコントローラの内、少なくとも１のリモートコントローラは、前記放送受信装置の電源を投入する場合に押下されるパワーキー、前記放送受信装置から出力される音量を増減する場合に押下される音量調整キー、及び、前記選局キーの３種のキーのみが配設されたリモートコントローラである機能制限リモコンであり、
前記複数のリモートコントローラの内、前記機能制限リモコンを除く少なくとも１のリモートコントローラは、前記チャンネル情報記憶手段に格納されたチャンネル設定情報を変更する場合に押下される設定変更キーが配設されたリモートコントローラである設定可能リモコンであり、
前記放送受信装置は、
前記リモコン識別情報と対応付けて、選局可能なチャンネルを規定する情報であるチャンネル設定情報を格納するチャンネル情報記憶手段と、
前記複数のリモートコントローラからの操作信号が受け付けられたか否かを判定するキー判定手段と、
前記キー判定手段によって操作信号が受け付けられたと判定された場合に、受け付けられた操作信号に含まれるリモコン識別情報に対応するチャンネル設定情報を、前記チャンネル情報記憶手段から読み出し、読み出されたチャンネル設定情報に基づいて、選局可能なチャンネルを設定するチャンネル設定手段と、
前記キー判定手段によって前記選局キーに対応する操作信号が受け付けられたと判定された場合に、前記チャンネル設定手段によって設定された選局可能なチャンネルを、予め設定された所定の順序で選局する選局手段と、
前記キー判定手段によって前記設定変更キーに対応する操作信号が受け付けられたと判定された場合に、受け付けられた操作信号に基づいて、前記チャンネル情報記憶手段に格納されたチャンネル設定情報を変更する設定変更手段と、
を備えることを特徴とする放送受信システム。
【請求項２】
テレビジョン放送を受信し、外部から視認可能にモニタに出力可能に構成された放送受信装置と、複数のキーが配設されると共に、前記放送受信装置と通信可能に接続された複数のリモートコントローラと、を備える放送受信システムであって、
前記複数のリモートコントローラは、それぞれ、
前記複数のキーの内、いずれか１のキーが押下された場合に、各リモートコントローラを識別可能な識別情報であるリモコン識別情報を、操作信号として前記放送受信装置に対して送信する送信手段を備え、
前記放送受信装置は、
前記リモコン識別情報と対応付けて、選局可能なチャンネルを規定する情報であるチャンネル設定情報を格納するチャンネル情報記憶手段と、
前記複数のリモートコントローラからの操作信号が受け付けられたか否かを判定するキー判定手段と、
前記キー判定手段によって操作信号が受け付けられたと判定された場合に、受け付けられた操作信号に含まれるリモコン識別情報に対応するチャンネル設定情報を、前記チャンネル情報記憶手段から読み出し、読み出されたチャンネル設定情報に基づいて、選局可能なチャンネルを設定するチャンネル設定手段と、
を備えることを特徴とする放送受信システム。
【請求項３】
前記複数のリモートコントローラは、それぞれ、
選局可能なチャンネルを予め設定された所定の順序で選局する場合に押下される選局キーを備え、
前記放送受信装置は、
前記キー判定手段によって前記選局キーに対応する操作信号が受け付けられたと判定された場合に、前記チャンネル設定手段によって設定された選局可能なチャンネルを、予め設定された所定の順序で選局する選局手段を備えることを特徴とする請求項２に記載の放送受信システム。
【請求項４】
前記複数のリモートコントローラの内、少なくとも１のリモートコントローラは、
前記放送受信装置の電源を投入する場合に押下されるパワーキー、前記放送受信装置から出力される音量を増減する場合に押下される音量調整キー、及び、選局可能なチャンネルを予め設定された所定の順序で選局する場合に押下される選局キーの３種のキーのみが配設されたリモートコントローラである機能制限リモコンであることを特徴とする請求項２又は請求項３に記載の放送受信システム。
【請求項５】
前記複数のリモートコントローラの内、前記機能制限リモコンを除く少なくとも１のリモートコントローラは、
前記チャンネル情報記憶手段に格納されたチャンネル設定情報を変更する場合に押下される設定変更キーが配設されたリモートコントローラである設定可能リモコンであり、
前記放送受信装置は、
前記キー判定手段によって前記設定変更キーに対応する操作信号が受け付けられたと判定された場合に、受け付けられた操作信号に基づいて、前記チャンネル情報記憶手段に格納されたチャンネル設定情報を変更する設定変更手段を備えることを特徴とする請求項４に記載の放送受信システム。
【発明の詳細な説明】
【技術分野】
【０００１】
本発明は、テレビジョン放送を受信し、外部から視認可能にモニタに出力可能に構成された放送受信装置と、複数のキーが配設されると共に、前記放送受信装置と通信可能に接続された複数のリモートコントローラと、を備える放送受信システムに関する。
【背景技術】
【０００２】
従来、テレビジョン放送を受信し、外部から視認可能にモニタに出力可能に構成された放送受信装置では、デジタル放送の普及に伴って、視聴可能なチャンネル数が飛躍的に増加し、ユーザが視聴を所望するチャンネルを選択するために要する手間が増大している。
【０００３】
この課題を解消するために、種々の装置が提案されている。例えば、受信可能なチャンネル情報であるプリセットチャンネル情報を記憶しており、プリセットチャンネル情報に格納された各チャンネルをスキップさせる場合には、そのチャンネル情報と対応付けてスキップ情報を設定し、スキップ情報が設定されているチャンネルをスキップし、スキップ情報が設定されていないチャンネルに対応する放送を受信する放送受信装置が開示されている（特許文献１参照）。
【特許文献１】特開２００３−２９８９６４号公報
【発明の開示】
【発明が解決しようとする課題】
【０００４】
しかしながら、複数のユーザが１台の放送受信装置を共用する場合には、１のユーザが視聴を所望するチャンネルと、他のユーザが視聴を所望するチャンネルとが相違する場合がある。また、視聴可能なチャンネル数の増大に伴って、暴力シーン、猥褻なシーン等を含む番組が放送されるチャンネル（以下、「有害チャンネル」という）も増加しており、このような番組を子供等に見せないように、子供等が視聴できるチャンネルを制限する要求が高まっている。このような場合に、上記放送受信装置では、視聴するユーザに応じてスキップ情報の設定を変更することが容易ではないため、チャンネルの選択に関する利便性が充分ではない場合がある。
【０００５】
本発明は、上記課題に鑑みてなされたものであって、チャンネルの選択に関する利便性を向上することの可能な放送受信システムを提供することを目的としている。
【課題を解決するための手段】
【０００６】
上記目的を達成するために請求項１に記載の放送受信システムは、テレビジョン放送を受信し、外部から視認可能にモニタに出力可能に構成された放送受信装置と、複数のキーが配設されると共に、前記放送受信装置と通信可能に接続された複数のリモートコントローラと、を備える放送受信システムであって、前記複数のリモートコントローラが、それぞれ、前記複数のキーの内、いずれか１のキーが押下された場合に、各リモートコントローラを識別可能な識別情報であるリモコン識別情報を、操作信号として前記放送受信装置に対して送信する送信手段と、選局可能なチャンネルを予め設定された所定の順序で選局する場合に押下される選局キーと、を備え、前記複数のリモートコントローラの内、少なくとも１のリモートコントローラが、前記放送受信装置の電源を投入する場合に押下されるパワーキー、前記放送受信装置から出力される音量を増減する場合に押下される音量調整キー、及び、前記選局キーの３種のキーのみが配設されたリモートコントローラである機能制限リモコンであり、前記複数のリモートコントローラの内、前記機能制限リモコンを除く少なくとも１のリモートコントローラが、前記チャンネル情報記憶手段に格納されたチャンネル設定情報を変更する場合に押下される設定変更キーが配設されたリモートコントローラである設定可能リモコンであり、前記放送受信装置が、前記リモコン識別情報と対応付けて、選局可能なチャンネルを規定する情報であるチャンネル設定情報を格納するチャンネル情報記憶手段と、前記複数のリモートコントローラからの操作信号が受け付けられたか否かを判定するキー判定手段と、前記キー判定手段によって操作信号が受け付けられたと判定された場合に、受け付けられた操作信号に含まれるリモコン識別情報に対応するチャンネル設定情報を、前記チャンネル情報記憶手段から読み出し、読み出されたチャンネル設定情報に基づいて、選局可能なチャンネルを設定するチャンネル設定手段と、前記キー判定手段によって前記選局キーに対応する操作信号が受け付けられたと判定された場合に、前記チャンネル設定手段によって設定された選局可能なチャンネルを、予め設定された所定の順序で選局する選局手段と、前記キー判定手段によって前記設定変更キーに対応する操作信号が受け付けられたと判定された場合に、受け付けられた操作信号に基づいて、前記チャンネル情報記憶手段に格納されたチャンネル設定情報を変更する設定変更手段と、を備えることを特徴としている。
【０００７】
請求項２に記載の放送受信システムは、テレビジョン放送を受信し、外部から視認可能にモニタに出力可能に構成された放送受信装置と、複数のキーが配設されると共に、前記放送受信装置と通信可能に接続された複数のリモートコントローラと、を備える放送受信システムであって、前記複数のリモートコントローラが、それぞれ、前記複数のキーの内、いずれか１のキーが押下された場合に、各リモートコントローラを識別可能な識別情報であるリモコン識別情報を、操作信号として前記放送受信装置に対して送信する送信手段を備え、前記放送受信装置が、前記リモコン識別情報と対応付けて、選局可能なチャンネルを規定する情報であるチャンネル設定情報を格納するチャンネル情報記憶手段と、前記複数のリモートコントローラからの操作信号が受け付けられたか否かを判定するキー判定手段と、前記キー判定手段によって操作信号が受け付けられたと判定された場合に、受け付けられた操作信号に含まれるリモコン識別情報に対応するチャンネル設定情報を、前記チャンネル情報記憶手段から読み出し、読み出されたチャンネル設定情報に基づいて、選局可能なチャンネルを設定するチャンネル設定手段と、を備えることを特徴としている。
【０００８】
請求項３に記載の放送受信システムは、請求項２に記載の放送受信システムであって、前記複数のリモートコントローラが、それぞれ、選局可能なチャンネルを予め設定された所定の順序で選局する場合に押下される選局キーを備え、前記放送受信装置が、前記キー判定手段によって前記選局キーに対応する操作信号が受け付けられたと判定された場合に、前記チャンネル設定手段によって設定された選局可能なチャンネルを、予め設定された所定の順序で選局する選局手段を備えることを特徴としている。
【０００９】
請求項４に記載の放送受信システムは、請求項２又は請求項３に記載の放送受信システムであって、前記複数のリモートコントローラの内、少なくとも１のリモートコントローラが、前記放送受信装置の電源を投入する場合に押下されるパワーキー、前記放送受信装置から出力される音量を増減する場合に押下される音量調整キー、及び、選局可能なチャンネルを予め設定された所定の順序で選局する場合に押下される選局キーの３種のキーのみが配設されたリモートコントローラである機能制限リモコンであることを特徴としている。
【００１０】
請求項５に記載の放送受信システムは、請求項４に記載の放送受信システムであって、前記複数のリモートコントローラの内、前記機能制限リモコンを除く少なくとも１のリモートコントローラが、前記チャンネル情報記憶手段に格納されたチャンネル設定情報を変更する場合に押下される設定変更キーが配設されたリモートコントローラである設定可能リモコンであり、前記放送受信装置が、前記キー判定手段によって前記設定変更キーに対応する操作信号が受け付けられたと判定された場合に、受け付けられた操作信号に基づいて、前記チャンネル情報記憶手段に格納されたチャンネル設定情報を変更する設定変更手段を備えることを特徴としている。
【発明の効果】
【００１１】
請求項１に記載の放送受信システムによれば、各リモートコントローラに配設された複数のキーの内、いずれか１のキーが押下された場合に、各リモートコントローラを識別可能な識別情報であるリモコン識別情報が、操作信号として放送受信装置に対して送信される。そして、放送受信装置において、リモートコントローラからの操作信号が受け付けられたか否かが判定され、操作信号が受け付けられたと判定された場合に、受け付けられた操作信号に含まれるリモコン識別情報に対応するチャンネル設定情報が読み出され、読み出されたチャンネル設定情報に基づいて、選局可能なチャンネルが設定されるため、チャンネルの選択に関する利便性を向上することができる。
【００１２】
すなわち、各リモートコントローラを識別可能な識別情報であるリモコン識別情報に対応するチャンネル設定情報に基づいて、選局可能なチャンネルが設定されるため、リモートコントローラ毎にユーザを特定しておくことによって、ユーザが視聴を所望するチャンネルを、選局可能なチャンネルに設定することができるのである。
【００１３】
また、各リモートコントローラを識別可能な識別情報であるリモコン識別情報に対応するチャンネル設定情報に基づいて、選局可能なチャンネルが設定されるため、例えば、子供が使用するリモートコントローラのリモコン識別情報に対応するチャンネル設定情報により規定される選局可能なチャンネルから有害チャンネルを除外することによって、容易に視聴制限を行うことができる。
【００１４】
更に、各リモートコントローラに配設された選局キーに対応する操作信号が受け付けられたと判定された場合に、選局可能なチャンネルが、予め設定された所定の順序で選局されるため、チャンネルの選択に関する利便性を向上することができる。
【００１５】
すなわち、ユーザは、リモートコントローラに配設された選局キーを押下することによって、選局可能なチャンネルが、予め設定された所定の順序で選局されるため、選局可能なチャンネルを適正に設定しておくことによって、チャンネルの選択に関する利便性を向上することができるのである。
【００１６】
加えて、複数のリモートコントローラの内、少なくとも１のリモートコントローラが、放送受信装置の電源を投入する場合に押下されるパワーキー、放送受信装置から出力される音量を増減する場合に押下される音量調整キー、及び、選局可能なチャンネルを予め設定された所定の順序で選局する場合に押下される選局キーの３種のキーのみが配設されたリモートコントローラである機能制限リモコンであるため、更に容易に視聴制限を行うことができる。
【００１７】
すなわち、機能制限リモコンを介して可能な操作が、放送受信装置の電源の投入、放送受信装置から出力される音量の増減、及び、選局可能なチャンネルの選局、の３つの操作に限定されるため、視聴制限の対象となる子供等に機能制限リモコンを使用させることによって、更に容易に視聴制限を行うことができるのである。
【００１８】
また、機能制限リモコンを除く１のリモートコントローラである設定可能リモコンに配設された設定変更キーに対応する操作信号が受け付けられたと判定された場合に、受け付けられた操作信号に基づいて、チャンネル設定情報が変更されるため、更に確実に視聴制限を行うことができる。
【００１９】
すなわち、機能制限リモコンを除く１のリモートコントローラである設定可能リモコンを介して、チャンネル設定情報が変更されるため、視聴制限を設定する主体である親等に限って設定可能リモコンを使用させることによって、更に確実に視聴制限を行うことができるのである。
【００２０】
請求項２に記載の放送受信システムによれば、各リモートコントローラに配設された複数のキーの内、いずれか１のキーが押下された場合に、各リモートコントローラを識別可能な識別情報であるリモコン識別情報が、操作信号として放送受信装置に対して送信される。そして、放送受信装置において、リモートコントローラからの操作信号が受け付けられたか否かが判定され、操作信号が受け付けられたと判定された場合に、受け付けられた操作信号に含まれるリモコン識別情報に対応するチャンネル設定情報が読み出され、読み出されたチャンネル設定情報に基づいて、選局可能なチャンネルが設定されるため、チャンネルの選択に関する利便性を向上することができる。
【００２１】
すなわち、各リモートコントローラを識別可能な識別情報であるリモコン識別情報に対応するチャンネル設定情報に基づいて、選局可能なチャンネルが設定されるため、リモートコントローラ毎にユーザを特定しておくことによって、ユーザが視聴を所望するチャンネルを、選局可能なチャンネルに設定することができるのである。
【００２２】
また、各リモートコントローラを識別可能な識別情報であるリモコン識別情報に対応するチャンネル設定情報に基づいて、選局可能なチャンネルが設定されるため、例えば、子供が使用するリモートコントローラのリモコン識別情報に対応するチャンネル設定情報により規定される選局可能なチャンネルから有害チャンネルを除外することによって、容易に視聴制限を行うことができる。
【００２３】
請求項３に記載の放送受信システムによれば、各リモートコントローラに配設された選局キーに対応する操作信号が受け付けられたと判定された場合に、選局可能なチャンネルが、予め設定された所定の順序で選局されるため、チャンネルの選択に関する利便性を向上することができる。
【００２４】
すなわち、ユーザは、リモートコントローラに配設された選局キーを押下することによって、選局可能なチャンネルが、予め設定された所定の順序で選局されるため、選局可能なチャンネルを適正に設定しておくことによって、チャンネルの選択に関する利便性を向上することができるのである。
【００２５】
請求項４に記載の放送受信システムによれば、複数のリモートコントローラの内、少なくとも１のリモートコントローラが、放送受信装置の電源を投入する場合に押下されるパワーキー、放送受信装置から出力される音量を増減する場合に押下される音量調整キー、及び、選局可能なチャンネルを予め設定された所定の順序で選局する場合に押下される選局キーの３種のキーのみが配設されたリモートコントローラである機能制限リモコンであるため、更に容易に視聴制限を行うことができる。
【００２６】
すなわち、機能制限リモコンを介して可能な操作が、放送受信装置の電源の投入、放送受信装置から出力される音量の増減、及び、選局可能なチャンネルの選局、の３つの操作に限定されるため、視聴制限の対象となる子供等に機能制限リモコンを使用させることによって、更に容易に視聴制限を行うことができるのである。
【００２７】
請求項５に記載の放送受信システムによれば、機能制限リモコンを除く１のリモートコントローラである設定可能リモコンに配設された設定変更キーに対応する操作信号が受け付けられたと判定された場合に、受け付けられた操作信号に基づいて、チャンネル設定情報が変更されるため、更に確実に視聴制限を行うことができる。
【００２８】
すなわち、機能制限リモコンを除く１のリモートコントローラである設定可能リモコンを介して、チャンネル設定情報が変更されるため、視聴制限を設定する主体である親等に限って設定可能リモコンを使用させることによって、更に確実に視聴制限を行うことができるのである。
【発明を実施するための最良の形態】
【００２９】
以下に本発明の実施形態を、図面を参照しながら説明する。図１は、本発明に係るデジタル放送受信システムの一例を示す構成図である。デジタル放送受信機１（放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００３０】
デジタル放送受信機１は、リモコン２を介してユーザからの操作入力を受け付けて、テレビジョン放送を受信し、図２を用いて後述するディスプレイ１８３に出力可能に構成されている。
【００３１】
リモコン２は、ユーザからの操作入力を受け付けて、操作入力に対応する赤外線信号を生成して、デジタル放送受信機１に対して出力するものであって、ここでは、親用リモコン２Ａ、及び２台の子用リモコン２Ｂを備えている。親用リモコン２Ａ（設定可能リモコンに相当する）は、視聴制限等の機能制限を受けないユーザ（親等）が保有し、操作するものである。子用リモコン２Ｂ（機能制限リモコンに相当する）は、視聴制限等の機能制限を受けるべきユーザ（子等）が保有し、操作するものである。なお、ここでは、親用リモコン２Ａ、及び子用リモコン２Ｂは、図３、図４に示すように共通する構成を有するため、特に、各リモコンを区別して説明する場合を除いて、リモコン２と総称する。
【００３２】
図２は、デジタル放送受信機１の構成の一例を示すブロック図である。デジタル放送受信機１は、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００３３】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３４】
操作部１４は、電源のＯＮ、ＯＦＦ操作、選局等の各種操作を受け付けるものである。ただし、操作部１４では、デジタル放送受信機１の各種設定（チャンネル設定等）に関する操作は行えないように構成されている。すなわち、デジタル放送受信機１の各種設定（チャンネル設定等）に関する操作は、リモコン２（ここでは、親用リモコン２Ａ）を介してのみ行えるものである。受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３５】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３６】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００３７】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００３８】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００３９】
赤外線通信部１９（キー判定手段の一部に相当する）は、リモコン２からの電源のＯＮ、ＯＦＦ操作、選局、デジタル放送受信機１の各種設定（チャンネル設定等）等の各種操作を受け付けるものである。
【００４０】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００４１】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、チャンネル情報等を含む制御情報からなり、この制御情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００４２】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介してディスプレイ１８３に動画像が表示される。
【００４３】
図３は、図１に示す親用リモコン２Ａ、子用リモコン２Ｂの外観の一例を示す図である。（ａ）は、親用リモコン２Ａの外観の一例を示す図であり、（ｂ）は、子用リモコン２Ｂの外観の一例を示す図である。（ａ）に示す親用リモコン２Ａは、赤外線信号出力部２１０Ａ、パワーキー２１１Ａ、音量調整キー２１２Ａ、選局キー２１３Ａ、テンキー２１４Ａ、クリアキー２１５Ａ、エンターキー２１６Ａ、方向キー２１７Ａ、セットアップキー２１８Ａ、及び、メニューキー２１９Ａを備えている。（ｂ）に示す子用リモコン２Ｂは、赤外線信号出力部２１０Ｂ、パワーキー２１１Ｂ、音量調整キー２１２Ｂ、及び、選局キー２１３Ｂを備えている。
【００４４】
赤外線信号出力部２１０（＝２１０Ａ、２１０Ｂ：送信手段の一部に相当する）は、ユーザによって押下されたキーに対応する操作信号を生成し、赤外線信号に変換してデジタル放送受信機１に対して送信するものである。
【００４５】
パワーキー２１１（＝２１１Ａ、２１１Ｂ）は、デジタル放送受信機１の電源を投入する場合、又は、電源を遮断する場合（＝スタンバイ状態とする場合）に押下されるキーである。音量調整キー２１２（＝２１２Ａ、２１２Ｂ）は、デジタル放送受信機１の図２に示すスピーカ１６３から出力される音量を増減する場合に押下されるキーであって、音量を増加させる場合に押下される音量アップ（ＶＯＬ  ＵＰ）キーと音量を減少させる場合に押下される音量ダウン（ＶＯＬ  ＤＯＷＮ）キーとから構成されている。
【００４６】
選局キー２１３（＝２１３Ａ、２１３Ｂ）は、選局可能なチャンネルを予め設定された所定の順序で選局する場合に押下されるキーであって、昇順に選局する場合に押下されるチャンネルアップ（ＣＨ  ＵＰ）キーと降順に選局する場合に押下されるチャンネルダウン（ＣＨ  ＤＯＷＮ）キーとから構成されている。テンキー２１４Ａは、「０」〜「１０」の数字を受け付けるキーであって、チャンネル番号等を入力する場合に押下されるキーである。
【００４７】
クリアキー２１５Ａは、一旦入力されたチャンネル番号等をキャンセルする場合に押下されるキーである。エンターキー２１６Ａ（設定変更キーの一部に相当する）は、デジタル放送受信機１のチャンネル設定条件等の各種機能を設定する場合に押下されるキーである。方向キー２１７Ａ（設定変更キーの一部に相当する）は、チャンネル設定条件等の各種機能を設定する際に、図２に示すディスプレイ１８３に表示された選択可能な複数の項目から１の項目を選択する場合に押下されるキーであって、上下左右の各方向に選択状態を移動させる４個のキーから構成されている。
【００４８】
セットアップキー２１８Ａは、デジタル放送受信機１のチャンネル設定等の初期設定を行う場合にセットアップ画面を表示させるべく押下されるキーである。メニューキー２１９Ａ（設定変更キーの一部に相当する）は、デジタル放送受信機１のチャンネル設定条件等の各種機能を設定する場合にメニュー画面を表示させるべく押下されるキーである。
【００４９】
図４は、図１に示すリモコン２の電気的構成の一例を示す構成図である。リモコン２は、ＭＰＵ２２、ＲＡＭ２３、ＲＯＭ２４、及び、キー押下検出部２５を備えている。ＭＰＵ（Ｍｉｃｒｏ  Ｐｒｏｃｅｓｓｉｎｇ  Ｕｎｉｔ）２２は、リモコン２全体の動作を制御するものである。ＲＡＭ（Ｒａｎｄｏｍ  Ａｃｃｅｓｓ  Ｍｅｍｏｒｙ）２３は、後述するキー識別情報等の各種情報を一時的に格納するものである。
【００５０】
ＲＯＭ（Ｒｅａｄ  Ｏｎｌｙ  Ｍｅｍｏｒｙ）２４は、ＭＰＵ２６を動作させる制御プログラム等を格納するものである。キー押下検出部２５（送信手段の一部に相当する）は、図３に示すパワーキー２１１、音量調整キー２１２、選局キー２１３等の各種キーが押下されたことを検出するものであって、各種キーに対応する操作検出信号をＭＰＵ２２（後述するキー判別部２２１）に出力するものである。
【００５１】
図５は、本発明に係る放送受信システムの主要部の構成の一例を示すブロック図である。図２に示すデジタル放送受信機１のＭＰＵ１１は、機能的に、キー判定部１１１、チャンネル設定部１１２、選局部１１３、及び、設定変更部１１４を備えている。また、図２に示すＲＡＭ１２は、機能的に、キー情報記憶部１２１及びチャンネル情報記憶部１２２を備えている。図４に示すリモコン２のＭＰＵ２２は、機能的に、キー判別部２２１、操作信号生成部２２２、及び、操作信号送信部２２３を備えている。また、図４に示すリモコン２のＲＡＭ２３は、機能的に、キー情報記憶部２３１を備えている。
【００５２】
ここでは、ＭＰＵ１１が、図２に示すＲＯＭ１３等に予め格納された制御プログラムを読み出して実行することにより、キー判定部１１１、チャンネル設定部１１２、選局部１１３、設定変更部１１４等の機能部として機能すると共に、ＲＡＭ１２を、キー情報記憶部１２１、チャンネル情報記憶部１２２等の機能部として機能させるものである。また、ＭＰＵ２２が、図４に示すＲＯＭ２４等に予め格納された制御プログラムを読み出して実行することにより、キー判別部２２１、操作信号生成部２２２、操作信号送信部２２３等の機能部として機能すると共に、ＲＡＭ２３を、キー情報記憶部２３１等の機能部として機能させるものである。
【００５３】
また、図２に示すＲＡＭ１２、ＲＯＭ１３、図４に示すＲＡＭ２３、ＲＯＭ２４に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００５４】
キー情報記憶部２３１（送信手段の一部に相当する）は、リモコン２に配設された複数のキー毎に予め設定され、キーを識別可能な識別情報であるキー識別情報を格納するものである。また、キー情報記憶部２３１は、各キーに対応するキー識別情報を、親用リモコン２Ａ及び子用リモコン２Ｂを識別可能な識別情報であるリモコン識別情報として機能させるべく、親用リモコン２Ａ、子用リモコン２Ｂ毎に互いに相違して予め設定して格納されているものである。
【００５５】
図６は、キー情報記憶部２３１（及びキー情報記憶部１２１）に格納されたキー識別情報の一例を示す図表である。図の左側の欄は、親用リモコン２Ａ、子用リモコン２Ｂに配設されたキーの名称であり、中央欄は、親用リモコン２Ａのキー識別情報であり、右側の欄は、子用リモコン２Ｂのキー識別情報である。
【００５６】
図に示すように、キー識別情報は、２４桁の識別情報で構成されており、最初の４桁の識別情報が、リモコン識別情報であり、他の２０桁の情報がキーの種類を識別する情報である。すなわち、キー識別情報の最初の４桁の識別情報が、「００００」である場合には、該キー識別情報は、親用リモコン２Ａに対応するものであり、キー識別情報の最初の４桁の識別情報が、「０００１」である場合には、該キー識別情報は、子用リモコン２Ｂに対応するものである。また、キー識別情報の５桁目以降の２０桁の情報は、キーの種類を識別するべくキー毎に相違する情報に設定されている。
【００５７】
例えば、親用リモコン２Ａのパワーキー２１１Ａのキー識別情報は、「００００  ００６７  ０００ｄ  ００６０  ００１８  ００３０」であり、最初の４桁の識別情報である「００００」が、親用リモコン２Ａに配設されたキーに対応するキー識別情報であることを示し、５桁目以降の２０桁の情報である「００６７  ０００ｄ  ００６０  ００１８  ００３０」が、キーの種類がパワーキーであることを示している。
【００５８】
再び、図５に戻って、放送受信システムの機能構成について説明する。キー判定部２２１（キー判定手段の一部に相当する）は、キー押下検出部２５を介してユーザからのパワーキー２１１Ａ、２１１Ｂ、音量調整キー２１２Ａ、２１２Ｂ等のキーの押下を受け付けて、複数のキーの内、押下されたキーを判定するものである。
【００５９】
操作信号生成部２２２（送信手段の一部に相当する）は、キー判別部２２１によって押下されたと判定されたキーに対応するキー識別情報を、キー情報記憶部２３１から読み出して、読み出されたキー識別情報を操作信号として生成するものである。
【００６０】
操作信号送信部２２３（送信手段の一部に相当する）は、操作信号生成部２２２によって生成された操作信号を、赤外線信号出力部２１０を介して赤外線通信信号に変換してデジタル放送受信機１へ送信するものである。
【００６１】
キー情報記憶部１２１（キー判定手段の一部に相当する）は、リモコン２のキー情報記憶部２３１と同様に、リモコン２に配設された複数のキー毎に予め設定され、キーを識別可能な識別情報であるキー識別情報を格納するものである。また、キー情報記憶部２３１は、各キーに対応するキー識別情報を、親用リモコン２Ａ及び子用リモコン２Ｂを識別可能な識別情報であるリモコン識別情報として機能させるべく、親用リモコン２Ａ、子用リモコン２Ｂ毎に互いに相違して予め設定して格納されているものである（図６参照）。
【００６２】
チャンネル情報記憶部１２２（チャンネル情報記憶手段に相当する）は、各リモコン２Ａ、２Ｂを識別可能な識別情報であるリモコン識別情報と対応付けて、選局可能なチャンネルを規定する情報であるチャンネル設定情報を格納するものである。
【００６３】
図７は、チャンネル情報記憶部１２２に格納されたチャンネル設定情報の一例を示す図表である。図の左側の欄は、図２に示す受信部１５を介して受信可能なチャンネルのチャンネル番号であり、中央欄は、親用リモコン２Ａによって選局可能なチャンネルを規定する情報であるチャンネル設定情報であり、右側の欄は、子用リモコン２Ｂによって選局可能なチャンネルを規定する情報であるチャンネル設定情報である。図中の○印は、選局可能なチャンネルであることを示すマークである。
【００６４】
すなわち、親用リモコン２Ａでは、受信可能な６チャンネルの全てが選局可能に設定されており、子用リモコン２Ｂでは、受信可能な６チャンネルの内、チャンネル番号がそれぞれ「４」、「７２」、「１１０」である３チャンネルが選局可能に設定されている。
【００６５】
再び、図５に戻って、放送受信システムの機能構成について説明する。キー判定部１１１（キー判定手段の一部に相当する）は、赤外線通信部１９を介してリモコン２（＝操作信号送信部２２３）から、操作信号が受け付けられたか否かを判定すると共に、リモコン２の種別、及び、キーの種類を判定するものである。すなわち、キー判定部１１１は、受け付けられた操作信号に基づいて、キー情報記憶部１２１を参照して、親用リモコン２Ａ及び子用リモコン２Ｂのどちらからの操作信号であるかを判定すると共に、リモコン２に配設されたキーの内、どのキーに対応する操作信号であるかを判定するものである。
【００６６】
チャンネル設定部１１２（チャンネル設定手段に相当する）は、キー判定部１１１によって操作信号が受け付けられたと判定された場合に、受け付けられた操作信号に含まれるリモコン識別情報に対応するチャンネル設定情報を、チャンネル情報記憶部１２２から読み出し、読み出されたチャンネル設定情報に基づいて、選局可能なチャンネルを設定するものである。
【００６７】
ここでは、チャンネル設定部１１２は、キー判定部１１１によって親用リモコン２Ａに対応する操作信号が受け付けられた場合には、受信可能な６個のチャンネルの全てを選局可能に設定し、キー判定部１１１によって子用リモコン２Ｂ対応する操作信号が受け付けられた場合には、受信可能な６個のチャンネルの内、チャンネル番号がそれぞれ「４」、「７２」、「１１０」である３個のチャンネルを選局可能に設定するものである（図７参照）。
【００６８】
選局部１１３（選局手段に相当する）は、キー判定部１１１によって選局キー２１３に対応する操作信号が受け付けられたと判定された場合に、チャンネル設定部１１２によって設定された選局可能なチャンネルを、予め設定された所定の順序で選局するものである。具体的には、選局部１１３は、図３に示す選局キー２１３Ａ、２１３Ｂの内、チャンネルダウン（ＣＨ  ＤＯＷＮ）キーに対応する操作信号が受け付けられたと判定された場合には、チャンネル設定部１１２によって設定された選局可能なチャンネルを降順に選局し、図３に示す選局キー２１３Ａ、２１３Ｂの内、チャンネルアップ（ＣＨ  ＵＰ）キーに対応する操作信号が受け付けられたと判定された場合には、チャンネル設定部１１２によって設定された選局可能なチャンネルを昇順に選局するものである。
【００６９】
例えば、図７に示すチャンネル番号「７２」のチャンネルが選局されている状態で、親用リモコン２Ａの選局キー２１３Ａの内、チャンネルアップ（ＣＨ  ＵＰ）キーに対応する操作信号が受け付けられたと判定された場合には、チャンネル番号「５２」のチャンネルが選局され、親用リモコン２Ａの選局キー２１３Ａの内、チャンネルダウン（ＣＨ  ＤＯＷＮ）キーに対応する操作信号が受け付けられたと判定された場合には、チャンネル番号「１１０」のチャンネルが選局される。
【００７０】
また、例えば、図７に示すチャンネル番号「７２」のチャンネルが選局されている状態で、子用リモコン２Ｂの選局キー２１３Ｂの内、チャンネルアップ（ＣＨ  ＵＰ）キーに対応する操作信号が受け付けられたと判定された場合には、チャンネル番号「４」のチャンネルが選局され、子用リモコン２Ｂの選局キー２１３Ｂの内、チャンネルダウン（ＣＨ  ＤＯＷＮ）キーに対応する操作信号が受け付けられたと判定された場合には、チャンネル番号「１１０」のチャンネルが選局される。
【００７１】
再び、図５に戻って、放送受信システムの機能構成について説明する。設定変更部１１４（設定変更手段に相当する）は、キー判定部１１１によって図３（ａ）に示す親用リモコン２Ａに配設されたメニューキー２１９Ａに対応する操作信号が受け付けられたと判定された場合に、受け付けられた操作信号に基づいて、チャンネル情報記憶部１２２に格納されたチャンネル設定情報を変更するものである。
【００７２】
具体的には、設定変更部１１４は、親用リモコン２Ａに配設されたメニューキー２１９Ａに対応する操作信号が受け付けられたと判定された場合に、図７に示すチャンネル設定情報をディスプレイ１８３に表示し、キー判定部１１１によって親用リモコン２Ａに配設された方向キー２１７Ａに対応する操作信号が受け付けられたと判定された場合に、方向キー２１７Ａの示す方向に変更対象の位置を移動し、更に、キー判定部１１１によって親用リモコン２Ａに配設されたエンターキー２１６Ａに対応する操作信号が受け付けられたと判定された場合に、変更対象の位置に対応するチャンネルの選局可否を交互に変更するものである。
【００７３】
例えば、デフォールトとして、図７に示すチャンネル番号が「４」の子用リモコン２Ｂの選局可否情報を示すセルが選択されている状態で、キー判定部１１１によって、親用リモコン２Ａに配設された方向キー２１７Ａの内、下方向キーに対応する操作信号が受け付けられたと判定された場合に、設定変更部１１４は、チャンネル番号が「１２」の子用リモコン２Ｂの選局可否情報を示すセルが選択されている状態に変更する。そして、この状態で、例えば、キー判定部１１１によって、親用リモコン２Ａに配設されたエンターキー２１６Ａに対応する操作信号が受け付けられたと判定された場合に、設定変更部１１４は、チャンネル番号が「１２」の子用リモコン２Ｂの選局可否情報を選択不可状態（○印が表示されていない状態）から選択可能状態（○印が表示されている状態）に変更する。更に、この状態で、例えば、キー判定部１１１によって、親用リモコン２Ａに配設されたエンターキー２１６Ａに対応する操作信号が再度受け付けられたと判定された場合に、設定変更部１１４は、チャンネル番号が「１２」の子用リモコン２Ｂの選局可否情報を選択可能状態（○印が表示されている状態）から選択不可状態（○印が表示されていない状態）に変更する。
【００７４】
図８は、デジタル放送受信機１（主にＭＰＵ１１）の動作の一例を示すフローチャートである。ここでは、便宜上、チャンネル情報記憶部１２２に、予め、リモコン識別情報と対応付けて、選局可能なチャンネルを規定する情報であるチャンネル設定情報が格納されている場合について説明する。まず、キー判定部１１１によって、操作信号が受け付けられたか否かが判定される（Ｓ１０１）。
【００７５】
操作信号が受け付けられていないと判定された場合（Ｓ１０１でＮＯ）には、処理が待機状態とされる。操作信号が受け付けられたと判定された場合（Ｓ１０１でＹＥＳ）には、キー判定部１１１によって、キー情報記憶部１２１が参照されて、親用リモコン２Ａからの操作信号であるか否かが判定される（Ｓ１０３）。親用リモコン２Ａからの操作信号であると判定された場合（Ｓ１０３でＹＥＳ）には、処理がステップＳ１１５に進められる。親用リモコン２Ａからの操作信号ではない（子用リモコン２Ｂからの操作信号である）と判定された場合（Ｓ１０３でＮＯ）には、チャンネル設定部１１２によって、子用リモコン２Ｂに対応する選局可能なチャンネルが設定される（Ｓ１０５）。
【００７６】
そして、キー判定部１１１によって、子用リモコン２Ｂの選局キー２１３Ｂの内、チャンネルアップ（ＣＨ  ＵＰ）キーに対応する操作信号が受け付けられたか否かの判定が行われる（Ｓ１０７）。チャンネルアップ（ＣＨ  ＵＰ）キーに対応する操作信号が受け付けられたと判定された場合（Ｓ１０７でＹＥＳ）には、選局部１１３によって、選局可能なチャンネルの内、現在選択されているチャンネルの次のチャンネル（図７に示す表の下側のチャンネル）が選局され（Ｓ１０９）、処理が終了される。チャンネルアップ（ＣＨ  ＵＰ）キーに対応する操作信号が受け付けられていないと判定された場合（Ｓ１０７でＮＯ）には、キー判定部１１１によって、子用リモコン２Ｂの選局キー２１３Ｂの内、チャンネルダウン（ＣＨ  ＤＯＷＮ）キーに対応する操作信号が受け付けられたか否かの判定が行われる（Ｓ１１１）。
【００７７】
チャンネルダウン（ＣＨ  ＤＯＷＮ）キーに対応する操作信号が受け付けられていないと判定された場合（Ｓ１１１でＮＯ）には、処理がステップＳ１０１に戻され、ステップＳ１０１以降の処理が繰り返し実行される。チャンネルダウン（ＣＨ  ＤＯＷＮ）キーに対応する操作信号が受け付けられたと判定された場合（Ｓ１１１でＹＥＳ）には、選局部１１３によって、選局可能なチャンネルの内、現在選択されているチャンネルの前のチャンネル（図７に示す表の上側のチャンネル）が選局され（Ｓ１１３）、処理が終了される。
【００７８】
ステップＳ１０３でＹＥＳの場合には、チャンネル設定部１１２によって、親用リモコン２Ａに対応する選局可能なチャンネルが設定される（Ｓ１１５）。そして、キー判定部１１１によって、親用リモコン２Ａの選局キー２１３Ａの内、チャンネルアップ（ＣＨ  ＵＰ）キーに対応する操作信号が受け付けられたか否かの判定が行われる（Ｓ１１７）。チャンネルアップ（ＣＨ  ＵＰ）キーに対応する操作信号が受け付けられたと判定された場合（Ｓ１１７でＹＥＳ）には、選局部１１３によって、選局可能なチャンネルの内、現在選択されているチャンネルの次のチャンネル（図７に示す表の下側のチャンネル）が選局され（Ｓ１１９）、処理が終了される。チャンネルアップ（ＣＨ  ＵＰ）キーに対応する操作信号が受け付けられていないと判定された場合（Ｓ１１７でＮＯ）には、キー判定部１１１によって、親用リモコン２Ａの選局キー２１３Ａの内、チャンネルダウン（ＣＨ  ＤＯＷＮ）キーに対応する操作信号が受け付けられたか否かの判定が行われる（Ｓ１２１）。
【００７９】
チャンネルダウン（ＣＨ  ＤＯＷＮ）キーに対応する操作信号が受け付けられていないと判定された場合（Ｓ１２１でＮＯ）には、処理がステップＳ１０１に戻され、ステップＳ１０１以降の処理が繰り返し実行される。チャンネルダウン（ＣＨ  ＤＯＷＮ）キーに対応する操作信号が受け付けられたと判定された場合（Ｓ１２１でＹＥＳ）には、選局部１１３によって、選局可能なチャンネルの内、現在選択されているチャンネルの前のチャンネル（図７に示す表の上側のチャンネル）が選局され（Ｓ１２３）、処理が終了される。
【００８０】
このようにして、各リモコン２Ａ、２Ｂに配設された複数のキーの内、いずれか１のキーが押下された場合に、各リモコン２Ａ、２Ｂを識別可能な識別情報であるリモコン識別情報が、操作信号としてデジタル放送受信機１に対して送信される。そして、デジタル放送受信機１（キー判定部１１１）において、リモコン２Ａ、２Ｂからの操作信号が受け付けられたか否かが判定され、操作信号が受け付けられたと判定された場合に、受け付けられた操作信号に含まれるリモコン識別情報に対応するチャンネル設定情報が読み出され、読み出されたチャンネル設定情報に基づいて、選局可能なチャンネルが設定されるため、チャンネルの選択に関する利便性を向上することができる。
【００８１】
すなわち、各リモコン２Ａ、２Ｂを識別可能な識別情報であるリモコン識別情報に対応するチャンネル設定情報に基づいて、選局可能なチャンネルが設定されるため、リモコン２Ａ、２Ｂ毎にユーザを特定しておくことによって、ユーザが視聴を所望するチャンネルを、選局可能なチャンネルに設定することができるのである。
【００８２】
また、各リモコン２Ａ、２Ｂを識別可能な識別情報であるリモコン識別情報に対応するチャンネル設定情報に基づいて、選局可能なチャンネルが設定されるため、例えば、子供が使用するリモコン２Ｂのリモコン識別情報に対応するチャンネル設定情報により規定される選局可能なチャンネルから有害チャンネルを除外することによって、容易に視聴制限を行うことができる。
【００８３】
更に、各リモコン２Ａ、２Ｂに配設された選局キーに対応する操作信号が受け付けられたと判定された場合に、選局可能なチャンネルが、予め設定された所定の順序で選局されるため、チャンネルの選択に関する利便性を向上することができる。
【００８４】
すなわち、ユーザは、リモコン２Ａ、２Ｂに配設された選局キー２１３Ａ、２１３Ｂを押下することによって、選局可能なチャンネルが、予め設定された所定の順序で選局されるため、選局可能なチャンネルを適正に設定しておくことによって、チャンネルの選択に関する利便性を向上することができるのである。
【００８５】
加えて、リモコン２Ａ、２Ｂの内、子用リモコン２Ｂが、デジタル放送受信機１の電源を投入する場合に押下されるパワーキー２１１Ｂ、デジタル放送受信機１から出力される音量を増減する場合に押下される音量調整キー２１２Ｂ、及び、選局可能なチャンネルを予め設定された所定の順序で選局する場合に押下される選局キー２１３Ｂの３種のキーのみが配設されたリモコンであるため、更に容易に視聴制限を行うことができる。
【００８６】
すなわち、機能制限リモコン（＝子用リモコン２Ｂ）を介して可能な操作が、デジタル放送受信機１の電源の投入、デジタル放送受信機１から出力される音量の増減、及び、選局可能なチャンネルの選局、の３つの操作に限定されるため、視聴制限の対象となる子供等に機能制限リモコン（＝子用リモコン２Ｂ）を使用させることによって、更に容易に視聴制限を行うことができるのである。
【００８７】
また、機能制限リモコン（＝子用リモコン２Ｂ）を除く１のリモコンである設定可能リモコン（＝親用リモコン２Ａ）に配設された設定変更キー（ここでは、図３（ａ）に示すエンターキー２１６Ａ、方向キー２１７Ａ、及び、メニューキー２１９Ａ）に対応する操作信号が受け付けられたと判定された場合に、受け付けられた操作信号に基づいて、チャンネル設定情報が変更されるため、更に確実に視聴制限を行うことができる。
【００８８】
すなわち、機能制限リモコン（＝子用リモコン２Ｂ）を除く１のリモコンである設定可能リモコン（＝親用リモコン２Ａ）を介して、チャンネル設定情報が変更されるため、視聴制限を設定する主体である親等に限って設定可能リモコン（＝親用リモコン２Ａ）を使用させることによって、更に確実に視聴制限を行うことができるのである。
【００８９】
なお、本発明は、以下の形態にも適用可能である。
（Ａ）本実施形態では、放送受信システムが３台のリモコン２を備える場合について説明したが、複数のリモコン２を備える形態であればよい。例えば、放送受信システムが２台のリモコン２を備える形態でもよいし、４台以上のリモコン２を備える形態でもよい。
【００９０】
（Ｂ）本実施形態では、放送受信装置が、デジタル放送受信機１である場合について説明したが、放送受信システムが、テレビジョン放送を受信し、外部から視認可能にディスプレイ１８３に出力するであればよい。例えば、放送受信システムが、アナログ放送を受信する形態でもよいし、アナログ放送及びデジタル放送を受信する形態でもよい。
【００９１】
（Ｃ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【００９２】
（Ｄ）本実施形態では、設定変更キーが、図３（ａ）に示すエンターキー２１６Ａ、方向キー２１７Ａ、及び、メニューキー２１９Ａである場合について説明したが、設定変更キーが、エンターキー２１６Ａ、方向キー２１７Ａ、及び、メニューキー２１９Ａの少なくとも１のキーを含む形態でもよいし、その他のキーを含む形態でもよい。
【００９３】
（Ｅ）本実施形態では、リモコン識別情報が、親用リモコン２Ａに対応するものと、子用リモコン２Ｂに対応するものとの２種類である場合について説明したが、リモコン識別情報が３種類以上である形態でもよい。リモコン識別情報の種類が多い程、細かいチャンネル設定情報を設定することが可能となる。例えば、家族一人一人を識別可能なリモコン識別情報が設定されている場合には、家族一人一人に対応するチャンネル設定情報を設定することができる。
【００９４】
（Ｆ）本実施形態では、選局部１１３が、選局可能なチャンネルを予め設定された所定の順序で選局する場合について説明したが、選局可能なチャンネルを選局する順序を設定可能に構成されている形態でもよい。すなわち、ユーザからの操作入力に基づいて、選局可能なチャンネルを選局する順序を設定する選局順序設定手段を備え、選局部１１３が、選局順序設定手段によって設定された順序に従って選局可能なチャンネルを選局する形態でもよい。この場合には、更に利便性を向上することができる。
【００９５】
（Ｇ）本実施形態では、子用リモコン２Ｂが、パワーキー２１１Ｂ、音量調整キー２１２Ｂ、及び、選局キー２１３Ｂを備える場合について説明したが、子用リモコン２Ｂが、パワーキー２１１Ｂ、音量調整キー２１２Ｂ、及び、選局キー２１３Ｂに加え、チャンネル番号等を入力する場合に押下されるテンキー等の設定変更キーを除く少なくとも１のキーを備える形態でもよい。
【図面の簡単な説明】
【００９６】
【図１】は、本発明に係るデジタル放送受信システムの一例を示す構成図である。
【図２】は、デジタル放送受信機の構成の一例を示すブロック図である。
【図３】は、図１に示す親用リモコン、子用リモコンの外観の一例を示す図である。
【図４】は、図１に示すリモコンの電気的構成の一例を示す構成図である。
【図５】は、本発明に係る放送受信システムの主要部の構成の一例を示すブロック図である。
【図６】は、キー情報記憶部に格納されたキー識別情報の一例を示す図表である。
【図７】は、チャンネル情報記憶部に格納されたチャンネル設定情報の一例を示す図表である。
【図８】は、デジタル放送受信機（主にＭＰＵ）の動作の一例を示すフローチャートである。
【符号の説明】
【００９７】
１    デジタル放送受信機（放送受信装置）
１１    ＭＰＵ
１１１    キー判定部（キー判定手段の一部）
１１２    チャンネル設定部（チャンネル設定手段）
１１３    選局部（選局手段）
１１４    設定変更部（設定変更手段）
１２    ＲＡＭ
１２１    キー情報記憶部（キー判定手段の一部）
１２２    チャンネル情報記憶部（チャンネル情報記憶手段）
１８    画像出力部
１８３    ディスプレイ（モニタ）
１９    赤外線通信部（キー判定手段の一部）
２    リモコン
２Ａ    親用リモコン（設定可能リモコン）
２Ｂ    子用リモコン（機能制限リモコン）
２１０、２１０Ａ、２１０Ｂ    赤外線信号出力部（送信手段の一部）
２１１、２１１Ａ、２１１Ｂ    パワーキー
２１２、２１２Ａ、２１２Ｂ    音量調整キー
２１３、２１３Ａ、２１３Ｂ    選局キー
２１６Ａ    エンターキー（設定変更キーの一部）
２１７Ａ    方向キー（設定変更キーの一部）
２１９Ａ    メニューキー（設定変更キーの一部）
２２    ＭＰＵ
２２１    キー判別部（送信手段の一部）
２２２    操作信号生成部（送信手段の一部）
２２３    操作信号送信部（送信手段の一部）
２３    ＲＡＭ
２３１    キー情報記憶部（送信手段の一部）
２５    キー押下検出部（送信手段の一部）
【図１】
2008141460.tif 000003
【図２】
2008141460.tif 000004
【図３】
2008141460.tif 000005
【図４】
2008141460.tif 000006
【図５】
2008141460.tif 000007
【図６】
2008141460.tif 000008
【図７】
2008141460.tif 000009
【図８】
2008141460.tif 000010